(57)【要約】      （修正有）【課題】冷間始動後などにエンジン本体部１内のウオータジャケット４，５における冷却水の流れ制御によって、シリンダｓ１〜ｓ４の周辺の局所的な温度上昇や、これによる冷却水の部分沸騰を抑制しながら、エンジンの暖機を可及的に促進し、冷機時の燃費及びエミッションを改善する。【解決手段】クランクシャフト駆動のウオータポンプに代えて電動ポンプ９を備え、これをエンジンの冷間始動後の所定期間は停止させて、ウオータジャケット４，５における冷却水の流通を停止させるとともに、その後はパルス制御モードで運転して、ウオータジャケット４，５において冷却水を間欠的に流通させるようにする。これにより、エンジンからの放熱を非常に少なくしながら、シリンダｓ１〜ｓ４の周辺などでの局所的な温度上昇を抑制する。【選択図】図１
2006214280.tif 000002
【特許請求の範囲】
【請求項１】
エンジン本体内の冷却水通路における冷却水の流通状態を変更可能な流通可変手段が設けられた冷却装置であって、
エンジン冷機時に前記冷却水通路において冷却水が間欠的に流通するように前記流通可変手段を作動させる制御手段を備えることを特徴とするエンジンの冷却装置。
【請求項２】
請求項１に記載の冷却装置において、
流通可変手段は、冷却水を流通させるための電動ポンプを備え、
制御手段は、前記電動ポンプを間欠的に作動させるものであることを特徴とするエンジンの冷却装置。
【請求項３】
請求項２に記載の冷却装置において、
制御手段は、電動ポンプに供給する電力量をデューティ制御可能に構成されていることを特徴とするエンジンの冷却装置。
【請求項４】
請求項１に記載の冷却装置において、
流通可変手段は、機械式ポンプによって流通される冷却水の流れをエンジン本体内の冷却水通路とバイパス通路とのいずれかに切替える切替弁を備え、
制御手段は、前記切替弁を切替え作動させるものであることを特徴とするエンジンの冷却装置。
【請求項５】
請求項１〜４のいずれか１つに記載の冷却装置において、
冷却水の温度を検出するためのセンサを備え、
制御手段は、前記センサによって検出される冷却水温度が高いときほど、間欠的に流通する冷却水の流通時間の停止時間に対する比率が大きくなるように、流通可変手段を作動させるものであることを特徴とするエンジンの冷却装置。
【請求項６】
請求項１〜５のいずれか１つに記載の冷却装置において、
制御手段は、エンジン始動後の所定期間はエンジン本体内の冷却水通路における冷却水の流通が停止し、その所定期間の経過後は前記冷却水通路において冷却水が間欠的に流通するように流通可変手段を作動させるものであることを特徴とするエンジンの冷却装置。
【請求項７】
請求項６に記載の冷却装置において、
制御手段は、エンジン暖機後も冷却水温度が所定の高温状態になるまでは冷却水が間欠的に流通し、その後は冷却水が連続的に流通するように流通可変手段を作動させるものであることを特徴とするエンジンの冷却装置。
【請求項８】
請求項１〜７のいずれか１つに記載の冷却装置において、
エンジン本体内の冷却水通路とラジエータ内の通路とを連通する連通路には、冷却水の温度変化に応じて機械的に開閉するサーモスタットが配設されていることを特徴とするエンジンの冷却装置。
【請求項９】
エンジン本体内の冷却水通路における冷却水の流通状態を変更可能な流通可変手段が設けられた冷却装置であって、
前記流通可変手段は、機械式ポンプによって流通される冷却水の流れを前記冷却水通路又はバイパス通路のいずれかに切替える切替弁と、その機械式ポンプよりも容量が小さくて、前記冷却水通路に冷却水を流通させるように配設された電動ポンプと、を有し、
エンジン冷機時には、前記機械式ポンプによる冷却水の流れが前記バイパス通路に切り替わるように前記切替弁を作動させるとともに、前記冷却水通路において冷却水が所定の微少流量だけ流通するように前記電動ポンプを作動させる制御手段を備えることを特徴とするエンジンの冷却装置。
【発明の詳細な説明】
【技術分野】
【０００１】
本発明は、エンジンの状態に応じて冷却水の流通状態を変更するようにした冷却装置に関する。
【背景技術】
【０００２】
従来より一般に、水冷式エンジンの冷却装置においてはクランクシャフトにより機械的にウオータポンプを駆動して、冷却水をシリンダブロックやシリンダヘッドのウオータジャケット（エンジン本体内の冷却水通路）に流通させ、さらに、ラジエータとの間で循環させるようにしている。また、そのエンジン本体とラジエータとの間の冷却水の流路にはサーモスタットが配設されていて、エンジン始動後の冷機時にはラジエータとの間の冷却水の流れを遮断することにより、エンジン本体の暖機を促進するようになっている。
【０００３】
そのように機械式ポンプとサーモスタットとを組み合わせたものでは、エンジンの運転中はクランクシャフトの回転とともにウオータポンプが作動することから、例えば車両の場合は車室の暖房のヒータコアなどとの間で冷却水が循環してしまい、その分、エンジンの放熱量が多くなって、暖機が遅れることが避けられず、冷機時の燃費やエミッションの悪化を十分に抑制できないという問題があった。
【０００４】
そこで、機械式ポンプやサーモスタットの代わりに電動式のウオータポンプを用いて、エンジンの運転状態に関係なく、ウオータジャケットにおける冷却水の流通状態を変更できるようにすることが提案されている（例えば特許文献１を参照）。この提案のものではエンジン本体とラジエータとの間に電動ポンプを配設し、エンジン冷機時にはそのポンプを作動させないことによって、ラジエータとの間の冷却水の循環を停止するとともに、ウオータジャケットにおける冷却水の流通自体も停止させるようにしている。
【特許文献１】特開２００２−１６１７４８号公報
【発明の開示】
【発明が解決しようとする課題】
【０００５】
ところが、前記提案のもののようにエンジン冷機時にウオータジャケットの冷却水の流れを停止させるようにすると、その結果としてシリンダの周辺で局所的に水温が上昇し、冷却水の部分沸騰によって異音が発生したり、或いは特定の部位の過度の温度上昇によって信頼性の低下を招いたりする虞れがある。
【０００６】
そして、そのような不具合の発生を防止しようとすれば、冷却水の温度があまり高くならないうちに電動ポンプを作動させて、冷却水を流通させるようにしなくてはならないから、電動ポンプを用いていても結局はエンジンの暖機を十分に促進できるものとはいえず、エンジン冷機時の燃費及びエミッションについて改善の余地が残されている。
【０００７】
尚、エンジンの運転状態に関係なく制御できるという電動ポンプの特長を生かし、それをできるだけ低速で運転して冷却水の流通量を絞ることにより、エンジンの放熱を最小限に抑えることも考えられるが、一般にウオータポンプには、エンジンの高負荷運転時における多量の発熱に対応した最大流量を確保することが求められるので、これを如何に低速で運転しても、冷却水の流通量を十分に絞ることは困難である。
【０００８】
本発明は、斯かる点に鑑みてなされたものであり、その目的とするところは、冷機時のエンジン本体内の冷却水の流れ制御に工夫を凝らして、シリンダ周辺の局所的な温度上昇や、これによる冷却水の部分沸騰を抑制しながら、エンジンの暖機を可及的に促進して、冷機時の燃費及びエミッションを従来より一層、改善することにある。
【課題を解決するための手段】
【０００９】
前記の目的を達成するために、本発明の主たる解決手段は、冷機時にエンジン本体内の冷却水通路における冷却水の流通を実質的に停止させることによって、暖機を促進するとともに、その冷却水を揺らして僅かに攪拌することによって、シリンダ周辺の局所的な温度上昇を抑制するようにした。
【００１０】
すなわち、請求項１の発明では、エンジン本体内の冷却水通路における冷却水の流通状態を変更可能な流通可変手段を備えたエンジンの冷却装置を対象として、エンジン冷機時に前記冷却水通路において冷却水が間欠的に流通するように前記流通可変手段を作動させる制御手段を備えたことを特徴とする。
【００１１】
前記の構成により、エンジン冷機時には、その本体部内の冷却水通路において冷却水が間欠的に流通するように、制御手段による流通可変手段の制御が行われる。ここで、間欠的に流通するというのは、冷却水が冷却水通路の入口から出口に向かって連続的に移動するのではなく、その冷却水通路において短時間の移動と停止とを繰り返すということであり、いわば、冷却水通路の冷却水全体が揺れて、僅かに攪拌される程度の流通状態を意味する。
【００１２】
そのようにエンジン本体内の冷却水通路における冷却水を揺らして僅かに攪拌することによって、シリンダ周辺の局所的な温度上昇を抑制しながら、冷却水の移動を停止させたのと同じようにエンジンの放熱量を少なくして、その暖機を十分に促進することができる。よって、エンジン冷機時の燃費及びエミッションを従来より一層、改善することができる。
【００１３】
前記冷却装置のより具体的な構成として、流通可変手段を、冷却水を流通させるための電動ポンプを備えるものとし、制御手段は、前記電動ポンプを間欠的に作動させるものとすることができる（請求項２の発明）。こうすれば、エンジンの運転状態に関係なく制御できるという電動ポンプの特長を生かして、流通可変手段を簡単に構成できる。
【００１４】
その場合に、前記制御手段を、電動ポンプに供給する電力量をデューティ制御可能なものとすれば（請求項３の発明）、電動ポンプの作動状態をきめ細かく且つ高精度に制御することができるので、シリンダ周辺などでの局所的な温度上昇をより確実に抑制しながら、エンジンの放熱量を極小化することが可能になる。
【００１５】
また、そのように電動ポンプの制御によって冷却水の流通状態を自由に変更することができるので、ラジエータとの間での冷却水の流通、遮断の切替えは従来より周知の機械式サーモスタットで行うようにすれば十分であり、エンジン本体内の冷却水通路とラジエータ内の通路とを連通する連通路には、冷却水の温度変化に応じて機械的に開閉するサーモスタットを配設すればよい（請求項８の発明）。つまり、電気式のサーモスタットは不要であり、その分はコストの低減が図られる。
【００１６】
また、本発明に係る冷却装置の別の具体的構成として、流通可変手段を、機械式ポンプによって流通される冷却水の流れをエンジン本体内の冷却水通路とバイパス通路とのいずれかに切替える切替弁を備えるものとし、制御手段は、前記切替弁を切替え作動させるものとしてもよい（請求項４の発明）。こうすれば、電動ポンプを用いることなく、より簡単且つ低コストで流通可変手段を構成できる。
【００１７】
前記のような構成の冷却装置において、冷却水の温度を検出するためのセンサを備え、このセンサによって検出される冷却水温度が高いときほど、間欠的に流通する冷却水の流通時間の停止時間に対する比率が大きくなるように、制御手段によって流通可変手段を作動させることが好ましい（請求項５の発明）。
【００１８】
こうすれば、比較的冷却水温が低くて、局所的な過度の温度上昇が起き難い状況では、冷却水の流通時間をより短くして、その分、さらにエンジンの放熱を少なくできる一方、冷却水温度が上昇すれば、これに応じて冷却水の流通時間を長くすることにより、前記過度の温度上昇をより確実に抑制することができる。つまり、冷却水温の変化に応じて、間欠的に流通する冷却水の流通時間の比率を変更することにより、温度上昇に因る不具合の抑制とエンジンの急速暖機という相反する要求をより高い次元で両立できる。
【００１９】
或いは、エンジン始動後の所定期間は、エンジン本体内の冷却水通路における冷却水の流通が停止するように流通可変手段を作動させ、その所定期間の経過後は、前記冷却水通路において冷却水が間欠的に流通するように流通可変手段を作動させるようにしてもよい（請求項６の発明）。すなわち、エンジンの冷間始動後、冷却水温が低くて局所的な過度の温度上昇が起き得ない所定期間は、冷却水の流通を停止させることで、エンジンの放熱を極小化できる。
【００２０】
また、前記のように冷機時に冷却水の流通を停止したり、間欠的に流通させたりするだけでなく、エンジン暖機後も冷却水温度が所定の高温状態になるまでは、冷却水が間欠的に流通するように流通可変手段を作動させ、冷却水温度が所定の高温状態に達した後は冷却水が連続的に流通するように流通可変手段を作動させるようにしてもよい（請求項７の発明）。こうすれば、暖機後のエンジンを従来よりも高い温度状態に維持することによって熱効率を高め、燃費を低減することができる。
【００２１】
次に、請求項９の発明では、前記請求項１の発明と同じく、エンジン本体内の冷却水通路における冷却水の流通状態を変更可能な流通可変手段を備えたエンジンの冷却装置を対象として、前記流通可変手段を、機械式ポンプによって流通される冷却水の流れを前記冷却水通路又はバイパス通路のいずれかに切替える切替弁と、その機械式ポンプよりも容量が小さくて、前記冷却水通路に冷却水を流通させるように配設された電動ポンプと、を有するものとし、エンジン冷機時には、前記機械式ポンプによる冷却水の流れが前記バイパス通路に切り替わるように前記切替弁を作動させるとともに、前記冷却水通路において冷却水が所定の微少流量だけ流通するように前記電動ポンプを作動させる制御手段を備える構成とする。
【００２２】
この構成によれば、エンジン冷機時には、クランクシャフト駆動の機械式ポンプによって流通する冷却水の流れが切替弁によりバイパス通路に切替えられるとともに、その機械式ポンプよりも容量の小さい電動ポンプの作動によって、エンジン本体内の冷却水通路において冷却水が所定の微少流量だけ流通するようになる。そして、その微小流量の冷却水の流通によって、エンジンの放熱量は少なくしつつ、シリンダ周辺などでの局所的な温度上昇を抑制することができる。
【００２３】
つまり、機械式ポンプによってエンジンの高負荷運転時における多量の発熱に対応した最大流量を確保することができるとともに、それとは別の小容量の電動ポンプによって冷却水の流通量を非常に少なくなるように調整することが可能になり、これにより、前記請求項１の発明と同様に局所的な温度上昇に因る不具合を抑制しながら、エンジンの急速暖機を促進して、冷機時の燃費及びエミッションを改善することができる。
【発明の効果】
【００２４】
以上のように、本願の請求項１〜８の発明に係るエンジンの冷却装置によると、例えば冷間始動直後のようなエンジンの冷機時に、その本体部内の冷却水通路において冷却水を間欠的に流通させることにより、冷却水の流通を停止した場合と同様にエンジンの放熱量を少なくしながら、シリンダ周辺などでの局所的な温度上昇を抑制することができ、これによりエンジンの暖機を促進して、燃費及びエミッションを改善できる。
【００２５】
その際に、冷却水温の変化に応じて間欠的な冷却水の流通時間比率を変更するようにしたり（請求項５の発明）、或いはエンジン始動後の所定期間は冷却水の流通を停止させるようにすることで（請求項６の発明）、エンジンからの放熱を極小化でき、これにより、局所的な温度上昇に因る不具合の抑制とエンジンの急速暖機という相反する要求を高い次元で両立できる。
【００２６】
さらに、エンジンの暖機後も水温が比較的低いときには冷却水を間欠的に流通させるようにすれば（請求項７の発明）、従来よりも高い温度状態に維持することによってエンジンの熱効率を高めて、燃費を低減することができる。
【００２７】
また、請求項９の発明に係るエンジンの冷却装置によると、機械式ポンプとは別に小容量の電動ポンプを設けて、冷機時にはエンジン本体内の冷却水通路において微小流量だけ冷却水を流通させることにより、前記請求項１の発明と同様の効果が得られる。
【発明を実施するための最良の形態】
【００２８】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２９】
（実施形態１）
図１は、本発明の実施形態１に係るエンジン冷却装置Ａの構成を模式的に示す。この冷却装置Ａは、エンジンの本体部１を構成するシリンダブロック２及びシリンダヘッド３にそれぞれ形成された冷却水通路としてのウオータジャケット４，５と、外気によって冷却水を冷やすために車両の前部などに配設されたラジエータ６と、このラジエータ６及び前記エンジン本体１の間で冷却水を循環させるための流路を構成するアッパ及びロワホース７，８と、前記シリンダブロック２のウオータジャケット４に冷却水を送給する電動ウオータポンプ（以下、単に電動ポンプという）９と、を備えている。
【００３０】
前記シリンダブロック２のウオータジャケット４は、図の例では４つのシリンダｓ１〜ｓ４の外周を囲むようにして当該シリンダブロック２の長手方向（以下、エンジン前後方向ともいう）全体に亘って形成され、その前端部の吸気側（図の下側）に開口する導入路４ａを介して電動ポンプ９の吐出側に連通している。また、その導入路４ａの開口の近傍には、冷却水を電動ポンプ９の吸入側に戻すためのバイパス通路１０が開口し、さらにその開口に隣接して、１番シリンダｓ１からシリンダブロック２の側壁部まで仕切壁４ｂが形成されている。
【００３１】
そのため、前記電動ポンプ９から吐出されて、導入路４ａからウオータジャケット４の前端部に流入した冷却水は、前記バイパス通路１０が閉じられていれば、図に矢印で示すようにウオータジャケット４の排気側（図の上側）をエンジン後方に向かって流れ、後端部で折り返した後に今度は吸気側をエンジン前方に向かって流れるようになる。一方、前記バイパス通路１０が開かれていれば、冷却水は主にそのバイパス通路１０に流れて、電動ポンプ９の吸入側に戻される。
【００３２】
また、前記シリンダブロック２のウオータジャケット４は、当該シリンダブロック２のトップデッキに形成された複数の孔部と、シリンダヘッド３のボトムデッキに形成された複数の孔部とを介して、該シリンダヘッド３のウオータジャケット５にも連通しており、これにより、前記のようにシリンダブロック２のウオータジャケット４を流れる冷却水は、図に矢印で示すように順次、シリンダヘッド３のウオータジャケット５に流通するようになっている。
【００３３】
前記シリンダヘッド３のウオータジャケット５は、各シリンダｓ１〜ｓ４の吸排気ポートやプラグホール（図示せず）の外周を包み込むようにして当該シリンダヘッド３の長手方向全体に亘って形成され、その後端部に開口する導出路５ａを介してアッパホース７内の流路に連通している。また、その導出路５ａには、車両の空調装置のヒータコア１１との間で冷却水を循環させるヒータホース１２内の流路も連通している。これにより、シリンダヘッド３のウオータジャケット５を流通した比較的高温の冷却水は、前記導出路５ａからアッパホース７及びヒータホース１２内の流路に流出するようになる。
【００３４】
そして、前記アッパホース７の下流端部はラジエータ６のアッパタンクに接続されており、前記のようにアッパホース７内を流通した比較的高温の冷却水は、ラジエータ６において外気と熱交換して冷却された後に、当該ラジエータ６のロワタンクに接続されているロワホース８内の流路に流出し、このロワホース８内を流通して電動ポンプ９の吸入側に戻される。同様に、前記ヒータホース１２内を流通する比較的高温の冷却水は、ヒータコア１１において空調用空気と熱交換した後に、電動ポンプ９の吸入側に戻される。
【００３５】
より詳しくは、この実施形態では、前記電動ポンプ９の吸入側に隣接して、シリンダブロック２の側壁にサーモスタット１３のハウジング１３ａが設けられていて、このハウジング１３ａに前記ロワホース８及びヒータホース１２の各下流端部がそれぞれ接続されている。そして、ロワホース８内の流路がサーモスタット１３の弁体１３ｂを介して、電動ポンプ９の吸入口に開閉可能に連通される一方、ヒータホース１２内の流路は、サーモスタット１３の弁体１３ｂを介さず、それを収容するハウジング１３ａ内の空間（弁室）によって直接、電動ポンプ９の吸入口に連通されている。
【００３６】
また、前記サーモスタット１３の弁室に臨んで前記バイパス通路１０が開口しており、このバイパス通路１０が前記弁室を介して電動ポンプ９の吸込口に連通されているとともに、この実施形態では、当該サーモスタット１３の弁体１３ｂと一体的に、前記バイパス通路１０における冷却水の流量を調整する絞り弁１５（以下、バイパス流量調整弁という）が設けられており、これにより、サーモスタット１３の開閉と連動してバイパス通路１０が開閉されるようになっている。
【００３７】
すなわち、前記バイパス流量調整弁１５は、図示の如くサーモスタット１３が全閉のときにはバイパス通路１０を全開とする一方、サーモスタット１３が開き始めてその弁体１３ｂが図の下側に移動すると、これとともにバイパス流量調整弁１５も下側に移動してバイパス通路１０を絞るようになり、さらに、サーモスタット１３が全開になれば、バイパス通路１０を全閉とするようになっている。
【００３８】
前記電動ポンプ９は、例えばインペラの回転によって冷却水を送り出す従来周知の遠心式のものであり、そのインペラのシャフトに接続された電動モータの作動が、制御手段としてのエンジンコントロールユニット２０（以下、ＥＣＵという）によって制御されるようになっている。言い換えると、電動ポンプ９は、ＥＣＵ２０によりその作動状態を制御され、エンジン本体部１内のウオータジャケット４，５における冷却水の流通状態を変更可能な流通可変手段を構成している。
【００３９】
以上のように構成されたエンジン冷却装置Ａにおける冷却水の全体的な流れは、図２に模式的に示すようになる。同図(a)は、サーモスタット１３が閉じているときの流れを矢印で示し、電動ポンプ９によってシリンダブロック２のウオータジャケット４に送られた冷却水は、その多くがバイパス通路１０によって電動ポンプ９の吸入側に戻されるとともに、一部の冷却水はシリンダヘッド３のウオータジャケット５にも流れ、ヒータホース１２内の流路を流通して、電動ポンプ９の吸入側に戻される。このとき、サーモスタット１３が閉じていることから、ラジエータ６との間で冷却水は流れない。
【００４０】
一方、サーモスタット１３が全開になっているときには、バイパス流量調整弁１５によってバイパス通路１０が閉じられているので、電動ポンプ９からの冷却水は、同図(b)に矢印で示すようにシリンダブロック２及びシリンダヘッド３のウオータジャケット４，５を流通した後に、アッパホース７及びヒータホース１２内の流路に流出し、その後、電動ポンプ９の吸入側に戻されるようになる。尚、当然ながら、電動ポンプ９が作動しなければ、前記のような冷却水の流れは起きず、対流による流れを除いて冷却水は略停止することになる。
【００４１】
（電動ポンプの作動制御）
次に、前記ＥＣＵ２０による電動ポンプ９の作動制御について説明する。このＥＣＵ２０は、周知の如くＣＰＵやメモリ、Ｉ／Ｏインターフェース回路、ドライバ回路等を備えて、エンジンの運転制御のために各シリンダｓ１〜ｓ４毎の燃料噴射制御や点火時期制御を行うものであるが、これに加えて、この実施形態では、主にエンジンの温度や負荷、或いは回転数などに応じて、電動ポンプ９の作動を制御するようになっている。
【００４２】
すなわち、この実施形態では、ＥＣＵ２０は、少なくとも、エンジンの負荷状態を検出するためのセンサ１６（例えば車両のアクセル開度センサやエアフローセンサなどであり、以下、負荷状態センサと呼ぶ）からの信号と、エンジン回転数センサ１７からの信号と、エンジンのシリンダヘッド２後端の冷却水導出路５ａに臨んで配設された水温センサ１８からの信号とを入力して、これによりエンジンの状態を判定し、これに応じて電動ポンプ９への出力電圧を制御するようになっている。
【００４３】
その出力電圧の制御は、デューティ比の変更によって出力電圧の大きさを調整する所謂デューティ制御であり、制御デューティ比を０〜１００％の範囲で変更することにより、出力電圧を例えば０．５〜１２Ｖくらいの所定範囲内において略リニアに変更して、電動ポンプ９の回転数をきめ細かく且つ高精度に制御することができる。
【００４４】
また、前記ＥＣＵ２０は、本発明の特徴部分として、前記制御デューティ比を予め設定した時間間隔で切替えて、電動ポンプ９にパルス状に電圧を供給することにより、該電動ポンプ９を一定の周期で瞬間的に、即ち間欠的に作動させることができるようになっており、そのように電動ポンプ９を作動させるパルス制御モードと、前記のように、電動ポンプ９を連続的に作動させながら、その回転数をエンジンの状態に応じて変更する通常制御モードとに切替えて、電動ポンプ９の作動状態を制御するようになっている。
【００４５】
より具体的に、前記通常制御モードでは、図３に一例を示すような制御マップに基づいて電動ポンプ９の回転数を制御する。この制御マップは、電動ポンプ９の基本的な制御回転数をエンジンの負荷及び回転数に応じて予め設定した３次元のものであり、相対的に高負荷乃至高回転側ではポンプ回転数を高くして、エンジンの多量の発熱に対応した冷却水の流量を確保する一方、相対的に低負荷乃至低回転側ではポンプ回転数を低くして、エンジンの過冷却を防止することにより、燃費を低減するようになっている。
【００４６】
これに対し、前記パルス制御モードは、主にエンジンの冷間始動後のような冷機時に行われ、電動ポンプ９を低い頻度で間欠的に作動させることにより、エンジン本体部１内のウオータジャケット４，５における冷却水の流通を殆ど停止に近い状態にして、暖機を促進できるとともに、電動ポンプ９の作動時にはウオータジャケット４，５内の冷却水全体が揺れて、僅かに攪拌されることで、シリンダｓ１〜ｓ４周辺の局所的な温度上昇を抑制できるようになっている。
【００４７】
図４(a),(b)は、この実施形態と同じ構成のエンジンにおいて例えば３番シリンダｓ３のシリンダライナとその付近のウオータジャケット５の所定箇所とにそれぞれ温度センサを配設して、冷間始動後の温度上昇を計測した実験結果を示す。同図に破線で示すグラフは、電動ポンプ９を従来からの機械式ポンプと同様にエンジン回転数に比例する回転数で作動させたときの水温の上昇を示し、一点鎖線のグラフは電動ポンプ９を停止させたときのものを、また、実線のグラフは、前記パルス制御モードによって電動ポンプ９を間欠的に作動させたときのものを示す。
【００４８】
同図(a)に示すように、シリンダライナの温度上昇は、電動ポンプ９を停止させたときが最も早く、従来の機械式ポンプと同様に作動させたときが最も遅いが、この実施形態のように電動ポンプ９を間欠作動させたときには、これを停止させたときと同じくらい早くシリンダライナの温度が上昇しており、エンジンの急速暖機が可能なことが分かる。
【００４９】
一方、同図(b)に示すように、電動ポンプ９を停止させたときにはウオータジャケット５の前記所定箇所における水温が急激に上昇及び下降しており、冷却水が停止していることによって部分沸騰が発生しているものと考えられる。これに対し、電動ポンプ９を従来の機械式ポンプと同様に作動させて、連続的に流通させたときは勿論、この実施形態のように間欠作動させたときにも、前記のような水温の急激な変動は見られず、このことから、冷却水を間欠的に流通させることによって上述したように局所的な温度上昇を抑制できることが分かる。
【００５０】
−エンジン冷機時の制御手順−
以下に、前記ＥＣＵ２０によって行われる電動ポンプ９の作動制御の手順を、主に図５のフローチャート図に基づき、図６〜１０を参照して説明する。まず、図５のフローのスタート後のステップＳ１では、少なくとも前記負荷状態センサ１６、エンジン回転数センサ１７、水温センサ１８等を含むエンジン制御システムの各センサからの信号を入力し、また、メモリに記憶されている制御パラメータ値などを読み込む。
【００５１】
続いて、ステップＳ２において、エンジン始動から電動ポンプ９の制御開始までの時間Ｔ１などを予め設定したテーブルから読み込む。このテーブルは、例えば図６に模式的に示すように、始動時のエンジン水温に応じて、エンジン始動から電動ポンプ制御の開始までの第１設定時間Ｔ１と、電動ポンプ９をパルス制御モードから通常制御モードに切替えるまでの第２設定時間Ｔ２とを、それぞれ実験等に基づいて決定したものであり、図の例では始動時のエンジン水温が所定値以下のときには始動後のエンジンが暫くの間、冷機状態にあると推定して、その始動時水温が低いほど、第１及び第２設定時間Ｔ１，Ｔ２を長くするようにしている。
【００５２】
そして、ステップＳ３において、まず、エンジン始動後に前記第１設定時間Ｔ１が経過したかどうか判別し、経過していない（ＮＯ）ならばリターンする。すなわち、エンジンの冷間始動後に第１設定時間Ｔ１が経過するまでは電動ポンプ９は作動させず、エンジン本体部１内のウオータジャケット４，５における冷却水の流通を停止することによって、その暖機を最大限に促進する。
【００５３】
一方、始動から前記第１設定時間Ｔ１が経過していれば（ＹＥＳ）ステップＳ４に進んで、今度は前記第２設定時間Ｔ２が経過したかどうか判別する。この判別結果がＮＯで第２設定時間Ｔ２が未経過であれば後述のステップＳ６，Ｓ７に進んで電動ポンプ９をパルス制御モードで作動させる一方、判別結果がＹＥＳで第２設定時間Ｔ２を経過していればステップＳ５に進み、今度はエンジン暖機後のパルス制御モードの実行条件が成立しているかどうか判定する。
【００５４】
すなわち、この実施形態では、後述の如くエンジン暖機後もエンジン水温が所定の高温状態になるまでは電動ポンプ９をパルス制御モードで作動させるようにしており、その条件は、例えば、エンジン水温が所定値以下であって、且つ、エンジンが比較的低負荷又は低回転の運転状態にあることとしている。これは、負荷乃至回転数が高いときにはエンジンの発熱量が多くなるので、暖機後であればエンジン水温によらず冷却水を連続的に流通させるのが好ましいからである。
【００５５】
より具体的には、例えば図７に模式的に示すように、暖機後のパルス制御モードの実行条件として、エンジン回転数に応じてエンジン負荷の閾値が設定されたテーブルを予め実験等に基づいて作成し、これをＥＣＵ２０のメモリに記憶させておく。そして、エンジン回転数に応じて前記テーブルから読み出した閾値よりもエンジン負荷が低いときに、エンジン水温が前記所定値以下であれば、パルス制御モードの実行条件成立と判定する。
【００５６】
尚、ハンチングを防止するために、前記パルス制御モードの実行条件にはヒステリシスを付与するのが好ましく、例えばエンジン水温については制御開始条件を９３°Ｃ以下とし、一方、制御終了条件は９５°Ｃ以上とすればよい。また、前記エンジン負荷の閾値は、同じエンジン回転数であれば制御の開始条件を終了条件よりも低い値とすればよい。
【００５７】
そして、前記ステップＳ５においてパルス制御モードの実行条件が成立していない（ＮＯ）と判定すれば、後述のステップＳ８〜１２に進んで電動ポンプ９を通常制御モードで作動させる一方、パルス制御モードの実行条件成立（ＹＥＳ）と判定すれば、以下に述べるステップＳ６，Ｓ７において電動ポンプ９をパルス制御モードで作動させる。
【００５８】
具体的に、まずステップＳ６において、電動ポンプ９の間欠作動の周期及びその作動時の制御デューティ比をそれぞれ予め設定したテーブルから読み込む。このテーブルは、例えば図８に模式的に示すように、エンジン水温に応じて前記電動ポンプ９の作動周期及びデューティ比の最適値をそれぞれ実験等に基づいて決定したものであり、図の例ではエンジン水温が高いほど作動周期が短くなる一方、デューティ比はあまり変化しないように設定されているが、これに代えて、或いはこれに加えて、エンジン水温が高いほど、デューティ比が大きくなるように設定してもよい。
【００５９】
そして、続くステップＳ７において、前記作動周期及びデューティ比に対応する制御信号により電動ポンプ９のモータにパルス状に出力電圧を印加して、これを間欠的に作動させ、しかる後にリターンする。そのように電動ポンプ９を予め設定した周期で瞬間的に、即ち間欠的に作動させると、シリンダブロック２やシリンダヘッド３のウオータジャケット４，５における冷却水は、電動ポンプ９の連続的な作動時のように入口側から出口側に向かって連続的に移動するのではなく、瞬間的なポンプ作動によって小さく移動した後に直ちに停止する、ということを繰り返すことになる。
【００６０】
言い換えると、前記電動ポンプ９の間欠的な作動によって、ウオータジャケット４，５の冷却水全体が周期的に揺れて、僅かに攪拌されるように間欠的に流通することになり、このことによって、エンジンの各シリンダｓ１〜ｓ４周辺の局所的な温度上昇が抑制されるとともに、冷却水を停止させているときと同じようにエンジンの放熱量が少なくなって、エンジンの暖機が十分に促進されることになる。
【００６１】
前記のような冷間始動後の電動ポンプ９の作動状態とエンジン水温の上昇との関係を、従来一般的な機械式ウオータポンプを備えたエンジンと対比して、図９のタイムチャートに示すと、まず、冷間始動後に第１設定時間Ｔ１が経過するまでの間（０〜ｔ１＝Ｔ１）は、電動ポンプ９の制御デューティ比が０％とされて、ポンプが停止状態に維持され（ステップＳ３でリターン）、これによりエンジンからの放熱が極小化される。このときに、図に実線で示すようにエンジン水温の上昇が見かけ上、遅れているのは、電動ポンプ９が停止していてウオータジャケット４，５の冷却水が流れないことから、シリンダｓ１〜ｓ４の周りの暖められた冷却水が水温センサ１８まで到達しないことによる。
【００６２】
そして、前記のように暖められた冷却水が対流により水温センサ１８まで到達するようになると、図示の如くセンサの検出値は急速に上昇して、比較例のもの（破線で示す）を追い越すが、始動から第１設定時間Ｔ１が経過すると（時刻ｔ１）、パルス制御が開始されて（ステップＳ４→Ｓ６）、電動ポンプ９は前記の如く間欠的に作動するようになる。この電動ポンプ９の間欠作動によって、ウオータジャケット４，５の冷却水が間欠的に流通し、それが僅かに攪拌されることになるため、各シリンダｓ１〜ｓ４周辺などでの局所的な温度上昇が抑制される。
【００６３】
そのように電動ポンプ９が間欠的に作動しているときにサーモスタット１３が開くと、ラジエータ６側から低温（略外気温）の冷却水が流通するようになるが（時刻ｔ２）、このときに前記の如く電動ポンプ９が間欠作動しているため、低温の冷却水がウオータジャケット４に一気に流入することはなく、それは電動ポンプ９の瞬間的な作動時にのみ、少しずつ流入するようになる。そのため、図示の如く水温検出値は一時的に低下するものの、その低下の度合いはあまり大きくはない。
【００６４】
しかも、その水温の低下に対応して、この実施形態では電動ポンプ９の間欠作動の周期が長くなるように変更され（ステップＳ６）、例えば電動ポンプ９の間欠的な作動時間の停止時間に対する比率が１／１０よりも小さくなることで、ラジエータ６側からの低温の冷却水の流入は非常に少なくなり、水温の落ち込みは十分に抑制される。
【００６５】
すなわち、前記の如く電動ポンプ９を間欠的に運転しているのでなければ、サーモスタット１３の開弁時にはラジエータ６側から低温の冷却水が一気に流入して、ウオータジャケット４，５の冷却水温は図に仮想線で示すように急激に落ち込むと考えられれ、その分、エンジンの暖機が遅れるだけでなく、一時的に燃焼悪化を招く虞れがあるが、この実施形態では、前記のように電動ポンプ９を間欠作動させることにより、低温の冷却水のウオータジャケット４，５への流入をごく僅かなものとして、当該ウオータジャケット４，５における冷却水温の変動を十分に抑制することができる。
【００６６】
つまり、この実施形態のエンジン冷却装置Ａによれば、エンジンの冷間始動後に電動ウオータポンプ９を所定時間停止させ、その後は間欠運転することによって、局所的な過度の温度上昇などの不具合を抑制しながら、エンジンの暖機を可及的に促進することができるとともに、サーモスタット１３の開弁による冷却水温の落ち込みも抑制して、冷機時の燃費及びエミッションを従来より一層、改善することができる。
【００６７】
特に、この実施形態では、エンジン水温の変化に応じて電動ポンプ９の間欠作動の周期を変更し、これにより、間欠的に流通する冷却水の流通時間の停止時間に対する比率を変更するようにしているので、冷却水の温度状態をきめ細かく且つ正確に調整して、前記水温上昇に起因する不具合の抑制とエンジンの急速暖機という相反する要求をより高い次元で両立することができる。
【００６８】
−暖機後の制御手順−
前記のようにエンジンの暖機が可及的に促進されて、冷間始動からちょうど第２設定時間Ｔ２が経過する頃にはウオータジャケット４，５の冷却水全体が約９０°Ｃになり、エンジンの暖機が完了するが、この実施形態では暖機後も電動ポンプ９のパルス制御モードを継続する。そして、さらにエンジン水温が上昇して、水温センサ１８による検出値がパルス制御モードの終了条件である所定値（この例では９５°Ｃ）以上になると（時刻ｔ３）、前記図５に示すフローのステップＳ５においてパルス制御モードの実行条件が不成立（ＮＯ）と判定し、ステップＳ８〜１２に進んで電動ポンプ９を通常制御モードで作動させる。
【００６９】
具体的に、まず、ステップＳ８では、図３に示すような制御マップから電動ポンプ９の基本的な制御目標回転数を読み込み、続くステップＳ９において水温補正を行う。すなわち、例えば図１０に模式的に示すようなテーブルからエンジン水温に応じて予め設定されている補正係数を読み込み、この水温補正係数を前記基本的な制御回転数に掛け合わせる。続いてステップＳ１０では加速補正を行う。これは、例えば、５ミリ秒の間にアクセル開度が２％以上大きくなったときにエンジンの加速運転を判定し、それか所定時間の間はポンプ回転数を１．２倍に補正する、というものである。
【００７０】
続いて、ステップＳ１１において、前記のように補正した電動ポンプ９の制御目標回転数を、予め設定した変換テーブルを参照して制御デューティ比に変換し、そうして求めたデューティ比が所定の上限値、下限値の範囲内にあることを続くステップＳ１２において確認した後に、前記ステップＳ７に進む。そして、前記デューティ比に対応する制御信号により電動ポンプ９のモータに出力電圧を印加して、これを連続的に作動させ、しかる後にリターンする。
【００７１】
そのように制御デューティ比の変更によって、電動ポンプ９へ供給する電圧を略リニアに変更することができるので、その回転数をエンジンの負荷や回転数に応じてきめ細かく且つ高精度に制御することができる。
【００７２】
しかしながら、電動ポンプ９には、エンジンの高負荷運転時における多量の発熱に対応した最大流量を確保することが求められるので、これを如何に低回転で運転していても、例えばエンジンの低負荷運転が継続して発熱量が少ない一方で、外気温が低く冷却水の温度が下がりやすいときなどには、エンジンの温度状態が比較的低くなることがある。こうなると、その分、熱損失が大きくなってしまうので、このときには再びパルス制御モードを開始する。
【００７３】
すなわち、エンジンが比較的低負荷低回転の運転域にあって、且つ水温センサ１８による検出値が９３°Ｃ以下に低下すると、図５のフローのステップＳ５においてエンジン暖機後のパルス制御モードの実行条件が成立していると判定され、前記ステップＳ６，Ｓ７においてＥＣＵ２０により電動ポンプ９が間欠的に作動されるようになる。これにより、ウオータジャケット４，５の冷却水は一時的に間欠的に流通するようになり、その温度が速やかに上昇して、再び通常制御モードに復帰する。
【００７４】
このようにして、エンジンの暖機後もエンジンの負荷や回転数及びエンジン水温などに応じて電動ポンプ９を間欠作動させることにより、エンジン水温を従来よりも高い温度状態（例えば９３°Ｃ以上）に維持して熱効率を高め、燃費を低減することができる。
【００７５】
前記図５のフローのステップＳ３，Ｓ４→Ｓ６，Ｓ７に示されるように、この実施形態のＥＣＵ２０（制御手段）は、エンジンの冷間始動後に第１設定時間Ｔ１が経過するまでの間は電動ポンプ９（流通可変手段）を停止状態に維持して、ウオータジャケット４，５における冷却水の流通を停止させ、さらに、始動から第２設定時間Ｔ２が経過するまで（冷機時）は、冷却水が間欠的に流通するように電動ポンプ９をパルス制御モードで運転するものである。
【００７６】
そのように電動ポンプ９がパルス制御モードで運転されているときに、エンジン水温の上昇に応じてサーモスタット１３が開くことになるので、ＥＣＵ２０は、少なくとも、エンジン本体部１内のウオータジャケット４，５とラジエータ６との間で冷却水の流通が始まるときに、そのウオータジャケット４，５において冷却水が間欠的に流通するように電動ポンプ９を作動させるものでもある。
【００７７】
また、前記フローのステップＳ５→Ｓ６，Ｓ７に示されるように、ＥＣＵ２０は、暖機後もエンジン水温が所定の高温状態になるまでは電動ポンプ９を間欠的に作動させるものであり、さらに、図８のテーブルに示されるように、エンジン水温が高いときほど、ポンプ作動周期が短くなるように、即ち間欠的に流通する冷却水の流通時間の停止時間に対する比率が大きくなるように、電動ポンプ９を制御するものである。
【００７８】
したがって、上述した実施形態１に係るエンジンの冷却装置Ａによると、従来一般的なクランクシャフト駆動のウオータポンプに代えて電動ポンプ９を備え、この電動ポンプ９をエンジンの冷間始動後の第１設定時間Ｔ１は停止させて、シリンダブロック２やシリンダヘッド３内のウオータジャケット４，５における冷却水の流通を停止させることにより、エンジンからの放熱を極小化して、その暖機を最大限に促進することができる。
【００７９】
そして、前記第１設定時間Ｔ１の経過後は電動ポンプ９をパルス制御モードで運転して、前記ウオータジャケット４，５において冷却水を間欠的に流通させることによって、エンジンからの放熱を非常に少なくしながら、シリンダｓ１〜ｓ４の周辺などでの局所的な温度上昇を抑制することができ、これにより、エンジンの暖機を促進することができる。
【００８０】
しかも、そのパルス制御モードでは、水温センサ１８によるエンジン水温の検出値に基づいて間欠的な電動ポンプ９の作動周期を変更することで、ウオータジャケット４，５における冷却水の時間平均的な流通量を、局所的な温度上昇に因る不具合を抑制するために必要な最小量にまで絞ることができ、これにより、温度上昇に因る不具合の抑制とエンジンの急速暖機という相反する要求を極めて高い次元で両立することができる。
【００８１】
さらに、そのように電動ポンプ９がパルス制御モードで運転されているときに、サーモスタット１３が開いて、ラジエータ６側から低温の冷却水の流通が始まるときにも、前記の如く電動ポンプ９をパルス制御モードで運転して、冷却水をウオータジャケット４に非常に少しずつ流入させることにより、当該ウオータジャケット４，５における冷却水温度の落ち込みを抑制し、燃焼悪化を防止して、エンジンの暖機を促進することができる。
【００８２】
加えて、この実施形態では、エンジンの暖機後も水温が所定値以下のときには冷却水を間欠的に流通させて、エンジンからの放熱を抑えるようにしており、これにより、エンジンを従来よりも高い温度状態に維持して熱効率を高め、燃費を低減することができる。
【００８３】
（実施形態２）
図１１は、本発明の実施形態２に係る冷却装置Ａにおける冷却水の全体的な流れを示し、この実施形態２のものは、前記実施形態１の電動ポンプ９の代わりに従来周知の機械式ウオータポンプ３０を備えるとともに、この機械式ポンプ３０からの冷却水の流れをウオータジャケット４，５とバイパス通路１０とのいずれかに切替える電磁作動式の切替弁３１を備えて、この切替弁３１をＥＣＵ２０によって切替え作動させるようにしたものである。尚、実施形態２の構成は、ウオータポンプ３０及び切替弁３１以外については前記実施形態１のものと同じなので、同一部材には同一の符号を付してその説明は省略する。
【００８４】
より具体的には、例えば前記実施形態１においてバイパス流量制御弁１５（図１参照）を、バイパス通路１０又はヒータホース１２内の流路のいずれか一方を選択的にサーモスタット１３の弁室に連通する三方弁により構成し、且つこのバイパス流量制御弁１５を、サーモスタット１３と連動せずに電磁的に作動される電磁弁により構成して、これを前記切替弁３１とする。
【００８５】
そして、サーモスタット１３が閉じているときに、前記切替弁３１によりバイパス通路１０をサーモスタット１３の弁室に連通し、一方、その弁室とヒータホース１２内の流路との間は閉ざすようにすれば（以下、バイパス位置という）、図１１(a)に模式的に示すように、機械式ポンプ３０によってシリンダブロック２のウオータジャケット４に送られた冷却水は、バイパス通路１０を流通して機械式ポンプ３０の吸入側に戻されるようになる。すなわち、サーモスタット１３の弁体１３ｂによってロワホース８が閉じられ、また、切替弁３１によってヒータホース１２が閉じられていることから、シリンダブロック２やシリンダヘッド３のウオータジャケット４，５には冷却水が流れないようになり、該ウオータジャケット４，５においては対流による流れを除いて冷却水は略停止することになる。
【００８６】
これに対し、前記切替弁３１によりヒータホース１２内の流路をサーモスタット１３の弁室に連通し、一方、その弁室とバイパス通路１０との間は閉ざすようにすれば（以下、ヒータ循環位置という）、同図(b)に模式的に示すように、機械式ポンプ３０から吐出された冷却水はシリンダブロック２のウオータジャケット４からシリンダヘッド２のウオータジャケット５に流通し、さらに、ヒータホース１２内の流路を流通して機械式ポンプ３０の吸入側に戻されるようになる。
【００８７】
したがって、この実施形態２に係るエンジン冷却装置Ａによると、ＥＣＵ２０によって前記切替弁３１を作動させて、その位置をバイパス位置とヒータ循環位置との間で切替えることにより、前記実施形態１において電動ポンプ９を間欠的に作動させるのと同様に、ウオータジャケット４，５において冷却水を間欠的に流通させることができ、これにより、シリンダｓ１〜ｓ４の周辺などでの局所的な温度上昇を抑制しつつ、エンジンの暖機を可及的に促進して、燃費及びエミッションを改善することができる。
【００８８】
しかも、実施形態１のもののように電動ポンプを用いることなく、従来、サーモスタット１３の弁体１３ｂと一体であったバイパス流量調整弁１５を、独立の電磁作動式のものとするだけでよいので、より簡単且つ低コストなものとすることができる。
【００８９】
（実施形態３）
図１２は、本発明の実施形態３に係る冷却装置Ａにおける冷却水の全体的な流れを示し、この実施形態３のものは、前記実施形態２のものと同様に機械式ポンプ３０からの冷却水の流れを切替弁３１によってウオータジャケット４，５とバイパス通路１０とのいずれかに切替えるとともに、それとは別に小容量の電動ポンプ３２を設けて、エンジン冷機時には該電動ポンプ３２のみによってウオータジャケット４，５へ冷却水を流通させるようにしたものである。尚、実施形態３の構成は、前記小容量の電動ポンプ３２が追加されていることを除けば前記実施形態２のものと同じなので、同一部材には同一の符号を付してその説明は省略する。
【００９０】
図の例では、電動ポンプ３２の吸入側は、切替弁３１よりも上流側のヒータホース１２に分岐接続され、一方、吐出側は、サーモスタット１３の弁室に連通して、その弁体１３ｂを介さずに機械式ポンプ３０の吸入口に直接、連通している。つまり、電動ポンプ３２は切替弁３１と並列に配設されて、該切替弁３１が閉じているときでも、冷却水をヒータホース１２を介してウオータジャケット４，５に流通させることができるようになっている。
【００９１】
そして、サーモスタット１３が閉じているときに前記切替弁３１をバイパス位置に切替えて、弁室とヒータホース１２内の流路との間を閉ざすようにすれば、前記実施形態２の場合と同じく、機械式ポンプ３０から吐出される冷却水はバイパス通路１０を流通して機械式ポンプ３０の吸入側に戻されるようになるので、このときに電動ポンプ３２が停止していれば、ウオータジャケット４，５には冷却水が流れないようになる。
【００９２】
また、前記電動ポンプ３２を作動させれば、この電動ポンプ３２にヒーターホース１２内の流路から吸入される分の冷却水がシリンダブロック２のウオータジャケット４からシリンダヘッド３のウオータジャケット５に流通するようになり、該ウオータジャケット４，５において微小流量の流れが生じる。そして、その微小流量の冷却水の流通によって、エンジンからの放熱を抑えつつ、シリンダｓ１〜ｓ４の周辺などでの局所的な温度上昇を抑制することが可能になる。
【００９３】
すなわち、前記実施形態１、２と同様にエンジンからの放熱を抑えて、その暖機を促進するためには、電動ポンプ３２の吐出流量を非常に小さく絞らなくてはならず、この実施形態のエンジンでは例えば毎分約０．５リットル以下の微小な流量制御が可能な小容量の電動ポンプを用いる必要がある。
【００９４】
さらに、前記切替弁３１をヒータ循環位置に切替えて、ヒータホース１２内の流路をサーモスタット１３の弁室に連通し、一方、その弁室とバイパス通路１０との間は閉ざすようにすれば、前記図１２(b)に模式的に示すように、機械式ポンプ３０から吐出された冷却水がシリンダブロック２のウオータジャケット４からシリンダヘッド２のウオータジャケット５に流通し、さらに、ヒータホース１２内の流路を流通して機械式ポンプ３０の吸入側に戻されるようになる。
【００９５】
したがって、この実施形態３に係るエンジン冷却装置Ａによると、機械式ポンプ３０によってエンジンの高負荷運転時における多量の発熱に対応した最大流量を確保する一方、それとは別の小容量の電動ポンプ３２によって冷却水の流通量を非常に少なくなるように絞れるようになり、これにより、前記実施形態１、２のものと同様にシリンダｓ１〜ｓ４の周辺などでの局所的な温度上昇を抑制しつつ、エンジンの暖機を可及的に促進して、燃費及びエミッションを改善することができる。
【００９６】
尚、前記実施形態１〜３においては、エンジンの冷間始動直後の所定期間（第１設定時間Ｔ１）はウオータジャケット４，５の冷却水の流通を停止させるようにしているが、これに限らず、始動直後から冷却水を間欠的に流通させるようにしてもよい。
【００９７】
また、前記各実施形態では、いずれもサーモスタット１３をウオータジャケット４，５への冷却水の入口側に配設しているが、これに限らず、本発明は、サーモスタット１３をウオータジャケット４，５からの冷却水の出口側に配設した場合でも、適用可能である。
【００９８】
さらに、前記各実施形態は、いずれも本発明の冷却装置Ａを直列４気筒エンジンに適用した場合について示しているが、エンジンの構成はそれに限定されるものではない。
【産業上の利用可能性】
【００９９】
以上、説明したように、本発明に係るエンジンの冷却装置Ａは、冷機時の冷却水の流れ制御に特徴を有し、ウオータジャケットにおける局所的な温度上昇や冷却水の部分沸騰などを抑制しながら、エンジンの暖機を可及的に促進して、冷機時の燃費及びエミッションを改善できるものなので、特に運転・停止の繰り返しが多い自動車用エンジンなどに好適である。
【図面の簡単な説明】
【０１００】
【図１】本発明の実施形態１に係るエンジン冷却装置の概略構成を示す模式図である。
【図２】実施形態１における冷却水の流れを示す模式図である。
【図３】電動ポンプの回転数制御マップの一例を示す模式図である。
【図４】電動ポンプの間欠作動時に水温等が上昇する様子をポンプの連続作動時や停止時と対比して示すグラフ図である。
【図５】電動ポンプの制御手順を示すフローチャート図である。
【図６】冷間始動後の第１及び第２設定時間を始動時水温に対応付けて設定したテーブルの模式図である。
【図７】暖機後のパルス制御モードの実行条件として、エンジン回転数に応じてエンジン負荷の閾値を設定したテーブルの模式図である。
【図８】パルス制御モードにおける電動ポンプの作動周期及びデューティ比をエンジン水温に応じて設定したテーブルの模式図である。
【図９】冷間始動後の電動ポンプの作動状態とエンジン水温の上昇との関係を示すタイムチャート図である。
【図１０】通常制御モードにおけるポンプ回転数の水温補正係数を設定したテーブルの模式図である。
【図１１】実施形態２のエンジン冷却装置の図２相当図である。
【図１２】実施形態３のエンジン冷却装置の図２相当図である。
【符号の説明】
【０１０１】
Ａ      エンジン冷却装置
１      エンジン本体部
４，５  ウオータジャケット（冷却水通路）
７      アッパホース（連通路）
８      ロワホース（連通路）
９      電動ポンプ（流通可変手段）
１０    バイパス通路
１３    サーモスタット
１５    バイパス流量調整弁（切替弁）
１８    水温センサ（センサ）
２０    エンジンコントロールユニット（ＥＣＵ：制御手段）
３０    機械式ポンプ（流通可変手段）
３１    切替弁
３２    小容量の電動ポンプ
【図１】
2006214280.tif 000003
【図２】
2006214280.tif 000004
【図３】
2006214280.tif 000005
【図４】
2006214280.tif 000006
【図５】
2006214280.tif 000007
【図６】
2006214280.tif 000008
【図７】
2006214280.tif 000009
【図８】
2006214280.tif 000010
【図９】
2006214280.tif 000011
【図１０】
2006214280.tif 000012
【図１１】
2006214280.tif 000013
【図１２】
2006214280.tif 000014